(57)【要約】【課題】  設定状態を記録して、再度読み込むことを容易に行うことができる電子音楽装置を提供する。【解決手段】  電子音楽装置は、時間情報を取得する時間情報取得手段と、前記時間情報に基づき、音楽情報を処理する音楽情報処理手段と、前記音楽情報処理手段における音楽情報処理で用いられるパラメータを設定するパラメータ設定手段と、前記パラメータ設定手段によるパラメータの設定以降の前記音楽情報処理手段の稼働時間を計測する計測手段と、前記稼働時間が所定時間以上となったことを検出した場合に、前記パラメータを記憶する記憶手段と、前記記憶手段に記憶されたパラメータを読み出して、前記音楽情報処理手段における音楽情報処理に再度適用する適用手段とを有する。【選択図】  図２
2008233810.tif 000002
【特許請求の範囲】
【請求項１】
時間情報を取得する時間情報取得手段と、
前記時間情報に基づき、音楽情報を処理する音楽情報処理手段と、
前記音楽情報処理手段における音楽情報処理で用いられるパラメータを設定するパラメータ設定手段と、
前記パラメータ設定手段によるパラメータの設定以降の前記音楽情報処理手段の稼働時間を計測する計測手段と、
前記稼働時間が所定時間以上となったことを検出した場合に、前記パラメータを記憶する記憶手段と、
前記記憶手段に記憶されたパラメータを読み出して、前記音楽情報処理手段における音楽情報処理に再度適用する適用手段と
を有する電子音楽装置。
【請求項２】
前記記憶手段は、複数の時点におけるパラメータを記録し、
さらに、前記複数の時点におけるパラメータを時系列で提示する提示手段と、
前記提示されたパラメータのうちから１つを選択する選択手段とを有し、
前記適用手段は、前記選択されたパラメータを適用する請求項１記載の電子音楽装置。
【請求項３】
前記記憶手段は、前記音楽情報処理で用いられるパラメータのうち所定の複数のパラメータを一組として記憶し、
前記適用手段は、前記一組のパラメータを適用する請求項１又は２記載の電子音楽装置。
【請求項４】
時間情報を取得する時間情報取得手順と、
前記時間情報に基づき、音楽情報を処理する音楽情報処理手順と、
前記音楽情報処理手順における音楽情報処理で用いられるパラメータを、設定操作子からの入力により設定するパラメータ設定手順と、
前記パラメータ設定手段によるパラメータの設定以降の前記音楽情報処理手段の稼働時間を計測する計測手順と、
前記稼働時間が所定時間以上となったことを検出した場合に、前記パラメータを記憶手段に記憶する記憶手順と、
前記記憶手段に記憶されたパラメータを読み出して、前記音楽情報処理手順における音楽情報処理に再度適用する適用手順と
を有するコンピュータで実行可能なプログラム。
【発明の詳細な説明】
【技術分野】
【０００１】
本発明は、電子音楽装置に関し、より詳しくは、設定状態を記録することのできる電子音楽装置に関する。
【背景技術】
【０００２】
電子楽器や音源装置、ミキサーなどの音楽に関する処理を行う電子音楽装置では、機器の設定状態を記憶して、それを後で読み出すことにより再設定することが、広く行われている。
【０００３】
例えば、演奏が終了するまでに使用した音色の種類（音色設定）を時系列に記録し、その記録を読み出すことで設定状態を再現することができる演奏履歴の再現操作を提供する技術が開示されている（例えば特許文献１参照）。
【０００４】
【特許文献１】実開平０７-０３６１９５号公報
【発明の開示】
【発明が解決しようとする課題】
【０００５】
上述の従来技術では、記録時の設定状態を忠実に再現することはできるものの、例えば、操作を誤って設定を変更した場合や、設定変更による効果を一時的に試した場合なども一律に記録されてしまい、不必要な履歴が含まれてしまう場合がある。そのような場合には、所望の履歴を呼び出すことに、手間がかかる可能性がある。
【０００６】
本発明の目的は、設定状態を記録して、再度読み込むことを容易に行うことができる電子音楽装置を提供することである。
【課題を解決するための手段】
【０００７】
本発明の一観点によれば、電子音楽装置は、時間情報を取得する時間情報取得手段と、前記時間情報に基づき、音楽情報を処理する音楽情報処理手段と、前記音楽情報処理手段における音楽情報処理で用いられるパラメータを設定するパラメータ設定手段と、前記パラメータ設定手段によるパラメータの設定以降の前記音楽情報処理手段の稼働時間を計測する計測手段と、前記稼働時間が所定時間以上となったことを検出した場合に、前記パラメータを記憶する記憶手段と、前記記憶手段に記憶されたパラメータを読み出して、前記音楽情報処理手段における音楽情報処理に再度適用する適用手段とを有する。
【発明の効果】
【０００８】
本発明によれば、設定状態を記録して、再度読み込むことを容易に行うことができる電子音楽装置を提供することができる。
【発明を実施するための最良の形態】
【０００９】
図１は、本発明の第１の実施例による電子音楽装置１のハードウェア構成を表すブロック図である。電子音楽装置１は、例えば、電子式のメトロノームであり、内蔵クロック（基本クロック信号）に応じてリズムを報知する。
【００１０】
電子音楽装置１のバス６には、ＲＡＭ７、ＲＯＭ８、ＣＰＵ９、検出回路１１、表示回路１３、音源回路１８が接続される。なお、後述する第２の実施例同様に、効果回路１９やＭＩＤＩインターフェイス（Ｉ／Ｆ）１６や通信インターフェイス（Ｉ／Ｆ）２１を含んで構成してもよい。
【００１１】
ＲＡＭ７は、バッファ領域、フラグ、レジスタ、各種パラメータ等を記憶するＣＰＵ９のワーキングエリアを有する。
【００１２】
ＲＯＭ８には、各種パラメータ及び制御プログラム、又は本実施例を実現するためのプログラム等を記憶することができる。
【００１３】
ＣＰＵ９は、ＲＯＭ８又は、外部記憶装置１５に記憶されている制御プログラム等に従い、演算又は制御を行う。タイマ１０は、ＣＰＵ９に接続されており、基本クロック信号、時間情報、割り込み処理タイミング等をＣＰＵ９に供給する。
【００１４】
ユーザは、検出回路１１に接続される設定操作子１２を用いて、各種入力及び設定、選択をすることができる。設定操作子１２は、例えば、文字入力用キーボード、マウス、スイッチ、パッド、フェーダ、スライダ、ロータリーエンコーダ、ジョイスティック、ジョグシャトル等、ユーザの入力に応じた信号を出力できるものならどのようなものでもよい。また、設定操作子１２は、マウス等の他の操作子を用いて操作するディスプレイ１４上に表示されるソフトスイッチ等でもよい。なお、本実施例では、図２及び図３に示すＵＩ（ユーザーインターフェイス）部３４に設けられる複数のスイッチ群１２１〜１２８により設定操作子１２を構成する。
【００１５】
表示回路１３は、ディスプレイ１４に接続され、各種情報をディスプレイ１４に表示することができる。ユーザは、このディスプレイ１４に表示される情報を参照して、各種入力及び設定を行う。また、ディスプレイ１４は、外部の表示装置を接続することにより構成してもよい。なお、ディスプレイ１４に表示される情報については、図３を参照して後述する。
【００１６】
音源回路１８は、ＣＰＵ９からの発音指示に基づきリズム報知用の楽音信号を生成し、サウンドシステム２０に供給する。サウンドシステム２０は、Ｄ／Ａ変換器及びスピーカーを含み、供給されるデジタル形式の楽音信号をアナログ形式に変換して発音する。
【００１７】
不揮発メモリ２５は、例えば、半導体メモリで構成され、電源非投入時にも記憶保持可能な記憶装置である。なお、構成として、不揮発メモリにバックアップ用電池を組み合わせるようにしてもよい。本実施例では、後述する履歴情報ＨＭ１が不揮発メモリ２５に記憶される。
【００１８】
図２は、本発明の第１の実施例による電子音楽装置（メトロノーム）１の機能を表すブロック図である。
【００１９】
図３は、本発明の第１の実施例による電子音楽装置（メトロノーム）１のＵＩ部３４の構成例を示す概略平面図である。
【００２０】
電子音楽装置１は、タイマ１０、制御部２９、メトロノームエンジン３９、カレント設定記憶部３５、履歴記憶部４５、ユーザーインターフェイス（ＵＩ）部３４、音源部１８等を含んで構成される。
【００２１】
タイマ１０は、時間情報取得手段であり、経過時間情報の元になる時間情報を制御部２９に供給するとともに、リズムの元となるクロックをメトロノームエンジン３９に供給する。
【００２２】
ＵＩ部３４は、例えば、図３に示すように、メトロノーム音を発音するためにサウンドシステム２０（図１）に含まれるスピーカー２０Ｓ、現在のテンポ、拍子、選択されている履歴情報（例えば、履歴情報の識別番号）、テンポやビートを視認するための図形等を表示するディスプレイ１４、及びユーザの設定操作の入力を受け付ける複数の設定操作子１２（スイッチ１２１〜１２８）を含んで構成される。ＵＩ部３４は、制御部２９から供給されるカレント設定パラメータのパラメータ設定状態を表示するとともに、メトロノームエンジン３９から供給される表示指示に基づき、リズム、テンポ等を表示する。また、複数の設定操作子１２（スイッチ１２１〜１２８）により、ユーザの設定操作の入力を受け付ける。ＵＩ部３４を介して入力される各種設定パラメータは、制御部２９に供給される。
【００２３】
スイッチ１２１は、メトロノーム機能の開始又は停止を指示するためのスイッチである。スイッチ１２２は、音量パラメータを「１」増加させるためのスイッチであり、スイッチ１２３は、音量パラメータを「１」減少させるためのスイッチである。
【００２４】
スイッチ１２４及び１２５は、履歴記憶部４５に記憶されている履歴情報ＨＭ１の中からひとつの履歴情報を選択して呼び出すためのスイッチであり、スイッチ１２４を操作することにより、履歴番号を「１」増加させ、スイッチ１２５を操作することにより履歴番号を「１」減少させる。
【００２５】
スイッチ１２６及び１２７は、メトロノーム機能におけるリズム報知のテンポを設定するためのスイッチである。スイッチ１２６を操作することにより、テンポ値を「１」増加させ、スイッチ１２７を操作することによりテンポ値を「１」減少させる。
【００２６】
スイッチ１２８は、拍子設定を変更するためのスイッチであり、当該スイッチを一回操作するごとに、予め用意された拍子設定（例えば、２／４拍子、３／４拍子、４／４拍子等）の１つを順次選択することができる。
【００２７】
制御部２９は、ＵＩ部３４を介して入力される各種設定パラメータに応じて、メトロノームエンジン３９に各パラメータに対応した指示を与える。メトロノームエンジン３９に与えられる指示は、例えば、リズム報知開始又は停止の指示、リズム報知における拍子の指示、テンポの指示、及び音量の指示等である。また、カレント設定記憶部３５から、現在設定されているパラメータ（例えば、図４に示すカレント設定ＣＭ１）を読み出すとともに、設定変更されたパラメータをカレント設定ＣＭ１として記憶させる。また、ＵＩ部３４を介して履歴の読み出し指示があった場合は、履歴記憶部４５から、例えば、図５に示す履歴情報ＨＭ１のうちの１つを読み出して、該履歴情報ＨＭ１に含まれるパラメータを設定して、対応する指示をメトロノームエンジン３９に与えるとともに、設定変更操作後一定時間が経過した所定のパラメータを履歴情報ＨＭ１の１つとして、履歴記憶部４５に記憶させる。
【００２８】
なお、第１の実施例では、設定パラメータとして、拍子設定パラメータ（２／４拍子、３／４拍子、４／４拍子等）、テンポ設定パラメータ（例えば、「１２０」などのＢＰＭ値）、音量設定パラメータ等が用意されている。
【００２９】
カレント設定記憶部３５は、例えば、ＲＡＭ７又は不揮発メモリ２５で構成され、電子音楽装置１における現在の設定をカレント設定ＣＭ１として記憶する。カレント設定ＣＭ１は、例えば、図４に示すようなフォーマットで、電子音楽装置１において現在設定されている設定パラメータの値、当該設定における稼働時間、現在稼働中か否かを示すフラグ（「稼働中」又は「停止中」）、当該設定が後述する履歴情報ＨＭ１に記録済みか否かを示すフラグ（「記録済」又は「未記録」）等を記憶する。
【００３０】
履歴記憶部４５は、例えば、不揮発メモリ２５で構成され、電子音楽装置１の電源切断時にもその記憶を保持する。履歴記憶部４５には、電子音楽装置１における設定パラメータの全部あるいは一部が変更された場合に、当該変更からの経過時間（分や秒といった時間、若しくは小節数等）が所定以上となったものについて、当該全部又は一部の設定パラメータを組にして、履歴情報ＨＭ１に追記する。ここで、所定の経過時間とは、例えば、１〜５分以上、３０秒以上、又は８小節以上等であり、製品出荷時に予め設定されていてもよいし、ユーザが任意に変更できるものでもよい。
【００３１】
履歴情報ＨＭ１は、例えば、図５に示すようなフォーマットで、上述したように変更後一定時間経過した設定パラメータ（一部又は全部）の値及び変更後の経過時間について、時系列順に記憶するものである。本実施例では、テンポ値及び拍子を記録の対象としており、これらの設定パラメータが変更されて一定時間が経過した場合に、テンポ値、拍子、稼働時間を一組として、履歴情報ＨＭ１に追記する。履歴情報ＨＭ１内の履歴情報は、記録時間が新しいものから古いものへと順に記録されており、最新のものに対して履歴番号（履歴識別番号）「１」を対応させ、以下の履歴に順次履歴番号「２〜ｎ」を付する。設定パラメータの変更後一定時間が経過したものであっても、現に履歴情報ＨＭ１内に同一の設定値の履歴情報が含まれる場合には、新たに履歴情報を追記しないようにしてもよいし、重ねて記録するようにしてもよい。例えば、図５の履歴情報ＨＭ１内の履歴情報「３」と同一のパラメータが設定されて又は履歴として呼び出されて稼働時間が所定時間を経過した場合、履歴情報ＨＭ１の先頭（履歴情報「１」）に履歴情報「３」と同一の追記し、それ以降の履歴情報を順次繰り下げるようにしてもよいし、履歴情報「３」を履歴情報ＨＭ１の先頭（履歴情報「１」）に移動させ、履歴情報「１」及び「２」を繰り下げるようにしてもよい。さらに、同一のパラメータが設定されて所定時間が経過した場合、履歴の変更をしないようにしてもよい。なお、稼働時間を重ねて記録しない設定の下、同一のパラメータが設定されて又は履歴として呼び出されて稼働時間が所定時間を経過した場合には、当該使用における稼働時間を加算して稼働時間を書き換えるようにしてもよい。なお、履歴情報には、稼働時間を記録しないようしにしてもよい。なお、履歴情報の並び順は、記録又は使用された時間順（昇順又は降順）に限らず、経過時間の長短（昇順又は降順）でソートするようにしてもよい。また、ユーザが並び順を設定できるようにしてもよい。
【００３２】
メトロノームエンジン３９は、音楽情報処理手段であり、ＣＰＵ９によって実行されるソフトウェアで構成され、メトロノーム機能（リズム報知機能）を提供する。メトロノームエンジン３９は、制御部２９からの開始の指示がある場合に、メトロノーム機能を稼動させる。すなわち、制御部２９から供給される拍子の指示、テンポの指示に基づくリズムで、音量の指示に基づく音量の音楽情報（メトロノーム音生成用の楽音信号等）を生成し、音源部１８に供給する。さらに、ＵＩ部３４の表示部１４に対して、現在のテンポ、拍子、選択されている履歴情報（例えば、履歴情報の識別番号）等の表示指示をする。なお、制御部２９からの停止指示があった場合は、メトロノーム機能を停止させる。
【００３３】
音源部１８は、メトロノームエンジン３９から供給される音楽情報に基づき楽音（メトロノーム音）を生成して、例えば、図１に示すサウンドシステム２０のスピーカー２０Ｓ（図３）を用いて発音させる。
【００３４】
以上のように、設定パラメータが変更された場合に、当該設定パラメータに基づいて所定時間以上メトロノーム機能を稼動した場合に限り、当該変更後のパラメータの全部又は一部を履歴情報ＨＭ１に記録することにより、例えば、一時的に設定したものや、誤操作により設定されたものを実質的に使用された設定パラメータではないとして、履歴情報から除くことができる。よって、無駄な履歴情報を作成することがないので、履歴情報が必要十分なもののみとなり、簡単に履歴を呼び出すことが可能となる。
【００３５】
図６は、本発明の第２の実施例による電子音楽装置２のハードウェア構成を表すブロック図である。電子音楽装置２は、例えば、自動演奏装置又は鍵盤等の演奏操作子を備えた電子楽器であり、ユーザの演奏操作又はＭＩＤＩインターフェイス経由で入力される演奏情報に基づいて楽音を発生することが可能であるとともに、ＭＩＤＩインターフェイス経由で入力されるＭＴＣあるいはＭＩＤＩクロックを元に、予め記憶された自動演奏データ（曲データ）を再生することができる。
【００３６】
電子音楽装置２のバス６には、ＲＡＭ７、ＲＯＭ８、ＣＰＵ９、タイマ１０、検出回路１１、表示回路１３、外部記憶装置１５、ＭＩＤＩインターフェイス（Ｉ／Ｆ）１６、音源回路１８、効果回路１９、通信インターフェイス（Ｉ／Ｆ）２１が接続される。なお、第１の実施例による電子音楽装置１と同一の構成には、同一の参照番号を付し、その説明を省略する。
【００３７】
外部記憶装置１５は、外部記憶装置用のインターフェイスを含み、そのインターフェイスを介してバス６に接続される。外部記憶装置１５は、例えばフレキシブルディスク又はフロッピー（登録商標）ディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ Ｖｅｒｓａｔｉｌｅ Ｄｉｓｃ）ドライブ、半導体メモリ、不揮発メモリ等である。
【００３８】
外部記憶装置１５として、ハードディスクドライブ（ＨＤＤ）が接続されている場合には、制御プログラム又は本実施例を実現するためのプログラム等は、外部記憶装置１５内のハードディスク（ＨＤＤ）に記憶させることもできる。ハードディスクからＲＡＭ７に制御プログラム等を読み出すことにより、ＲＯＭ８に制御プログラム等を記憶させている場合と同様の動作をＣＰＵ９にさせることができる。このようにすると、制御プログラム等の追加やバージョンアップ等が容易に行える。
【００３９】
また、ハードディスクドライブに加えて、ＣＤ−ＲＯＭドライブが接続されている場合には、制御プログラム又は本実施例を実現するためのプログラム等をＣＤ−ＲＯＭに記憶させることもできる。ＣＤ−ＲＯＭからハードディスクに制御プログラムや本実施例を実現するためのプログラム等をコピーすることができる。制御プログラム等の新規インストールやバージョンアップを容易に行うことができる。
【００４０】
ＭＩＤＩインターフェイス（ＭＩＤＩ  Ｉ／Ｆ）１６は、ＭＩＤＩ機器１７、その他の楽器、音響機器、コンピュータ等に接続できるものであり、少なくともＭＩＤＩ信号（演奏情報、ＭＴＣ、ＭＩＤＩクロック等）を送受信できるものである。ＭＩＤＩインターフェイス１６は、専用のＭＩＤＩインターフェイスに限らず、ＲＳ−２３２Ｃ、ＩＥＥＥ１３９４（アイトリプルイー１３９４）等の汎用のインターフェイスを用いて構成してもよい。この場合、ＭＩＤＩメッセージ以外のデータをも同時に送受信するようにしてもよい。
【００４１】
ＭＩＤＩ機器１７は、ＭＩＤＩインターフェイス１６に接続される音響機器及び楽器等である。ＭＩＤＩ機器１７の形態は鍵盤楽器に限らず、弦楽器タイプ、管楽器タイプ、打楽器タイプ等の形態でもよい。また、音源装置、自動演奏装置等を１つの電子楽器本体に内蔵したものに限らず、それぞれが別体の装置であり、ＭＩＤＩや各種ネットワーク等の通信方法用いて各装置を接続するものであってもよい。
【００４２】
音源回路１８は、外部記憶装置１５、ＲＯＭ８又はＲＡＭ７等に記録された曲データ若しくは演奏操作子２２又はＭＩＤＩインターフェイス１６に接続されたＭＩＤＩ機器１７等から供給される演奏信号、ＭＩＤＩ信号等に応じて楽音信号を生成し、効果回路１９を介して、サウンドシステム２０に供給する。
【００４３】
効果回路１９は、音源回路１８から供給される楽音信号に対して、各種音楽的効果を付与する。サウンドシステム２０は、Ｄ／Ａ変換器及びスピーカーを含み、供給されるデジタル形式の楽音信号をアナログ形式に変換し、発音する。
【００４４】
通信インターフェイス２１は、ＬＡＮ（ローカルエリアネットワーク）及びインターネット等の通信ネットワーク３００に接続可能であり、該通信ネットワーク３００を介して、サーバ２３及び他の電子音楽装置と相互に接続可能である。
【００４５】
なお、通信インターフェイス２１及び通信ネットワーク３００は、有線のものに限らず無線でもよい。また双方を備えていてもよい。また、通信インターフェイス２１は、内蔵のものでも良いし、ＰＣカード等の着脱可能なものでも良い。
【００４６】
演奏操作子２２は、検出回路１１に接続され、ユーザの演奏動作に従い、演奏情報を供給する。演奏操作子２２として、演奏用の鍵盤、パッド等を用いることができる。なお、演奏操作子２２はこれらに限らず、ユーザが演奏情報を入力できるものであればどのようなものでもよい。
【００４７】
図７は、本発明の第２の実施例による電子音楽装置（電子楽器）２の機能を表すブロック図である。
【００４８】
電子音楽装置２は、ＭＩＤＩ  Ｉ／Ｆ１６、制御部２９、音源部／効果部３８、カレント設定記憶部３５、履歴記憶部４５、ユーザーインターフェイス（ＵＩ）部３４、曲データ記憶部５５等を含んで構成される。
【００４９】
ＵＩ部３４は、複数の設定操作子１２及びディスプレイ１４を含んで構成され、ユーザによる設定操作を受け付けて、制御部２９に供給する。設定操作子としては、少なくとも第１の実施例のスイッチ１２４及び１２５と同様の履歴呼び出し用操作子、曲データの選択用操作子、曲データの再生／停止用の操作子等を備えている。ＭＩＤＩ  Ｉ／Ｆ１６は、時間情報取得手段であり、外部電子音楽装置からＭＴＣ若しくはＭＩＤＩクロックを受信して、制御部２９に供給する。
【００５０】
第２の実施例においてＵＩ部３４から入力される設定パラメータは、例えば、音量設定パラメータ、音色設定パラメータ、効果設定パラメータ、テンポ設定パラメータ、曲データ指定パラメータ（ソング情報）等のさまざまなものが用意されている。なお、本明細書において「ソング情報」とは、曲データ記憶部５５内の曲データの記録場所へのパスを示すリンクデータである。
【００５１】
制御部２９は、ＵＩ部３４を介して入力される設定パラメータ（曲データ指定パラメータ）に基づき、曲データを曲データ記憶部５５から読み出して、ＵＩ部３４を介して入力されるその他の設定パラメータに基づき、音源部／効果部３８に対して楽音生成の指示を与える。さらに、ＵＩ部３４のディスプレイ１４に各種情報を表示させる。
【００５２】
また、制御部２９は、カレント設定記憶部３５から、現在設定されているパラメータ（例えば、図８に示すカレント設定ＣＭ２）を読み出すとともに、設定変更されたパラメータをカレント設定ＣＭ２として記憶させる。また、ＵＩ部３４を介して履歴の読み出し指示があった場合は、履歴記憶部４５から、例えば、図９に示す履歴情報ＨＭ２のうちの１つを読み出して、該履歴情報ＨＭ２に含まれるパラメータを設定して、対応する指示を音源部／効果部３８に与えるとともに、設定変更操作後一定時間が経過した所定のパラメータを履歴情報ＨＭ２の１つとして、履歴記憶部４５に記憶させる。
【００５３】
カレント設定記憶部３５は、例えば、ＲＡＭ７又は外部記憶装置１５として接続される不揮発メモリ等で構成され、電子音楽装置２における現在の設定をカレント設定ＣＭ２として記憶する。カレント設定ＣＭ２は、例えば、図８に示すようなフォーマットで、電子音楽装置２において現在設定されている設定パラメータの値（本実施例では、ソング情報）、当該設定における稼働時間、現在稼働中か否かを示すフラグ（「稼働中」又は「停止中」）、当該設定が後述する履歴情報ＨＭ２に記録済みか否かを示すフラグ（「記録済」又は「未記録」）等を記憶する。
【００５４】
履歴記憶部４５は、電子音楽装置２における設定パラメータの全部あるいは一部が変更された場合に、当該変更からの経過時間（分や秒といった時間、若しくは小節数等）が所定以上となったものについて、当該全部又は一部の設定パラメータを組にして、履歴情報ＨＭ２に追記する。その他の点については、第１の実施例における履歴情報記憶部４５と同様の構成である。
【００５５】
履歴情報ＨＭ２は、例えば、図９に示すようなフォーマットで、上述したように変更後一定時間経過した設定パラメータ（一部又は全部）の値及び変更後の経過時間について、時系列順に記憶するものである。本実施例では、ソング情報を記録の対象としており、この設定パラメータが変更されて一定時間が経過した場合に、ソング情報、稼働時間を一組として、履歴情報ＨＭ２に追記する。なお、ソング情報を記録対象の設定パラメータとしている以外は、基本的に第１の実施例における履歴情報１と同様であるので、説明を省略する。
【００５６】
音源部／効果部３８は、例えば、図６の音源回路１８、効果回路１９、サウンドシステム２０等で構成され、制御部２９からの発音指示に従い、楽音を発音する。曲データ記憶部５５は、例えば、図６の外部記憶装置１５で構成され、自動演奏用の曲データ（例えば、ＭＩＤＩデータ、圧縮又は非圧縮のＡＵＤＩＯデータ等）を複数種類記憶しており、制御部５５に対して、曲データを供給する。
【００５７】
以上のように、曲データ（設定パラメータ）が変更された場合に、当該曲データを所定時間以上再生（稼動）した場合に限り、当該変更後の曲データに関する情報（ソング情報）を履歴情報ＨＭ２に記録することにより、例えば、試聴のために一時的に設定したものや、誤操作により設定されたものを実質的に再生された曲データではないとして、履歴情報から除くことができる。よって、第１の実施例と同様に無駄な履歴情報を作成することがないので、履歴情報が必要十分なもののみとなり、簡単に履歴を呼び出すことが可能となる。
【００５８】
図１０は、本発明の第３の実施例による電子音楽装置３のハードウェア構成を表すブロック図である。電子音楽装置３は、例えば、デジタルミキサーやデジタルレコーディングミキサーである。電子音楽装置（デジタルレコーディングミキサー）３は、複数のデジタル音声入力（ＳＰＤＩ／Ｆ）に各種音響効果を付与し、例えば、ＨＤＤなどの外部記憶装置に当該デジタル音声を記憶する機能を有する。
【００５９】
電子音楽装置３のバス６には、ＲＡＭ７、ＲＯＭ８、ＣＰＵ９、タイマ１０、検出回路１１、表示回路１３、外部記憶装置１５、ＭＩＤＩインターフェイス（Ｉ／Ｆ）１６、信号処理回路２８、デジタル音声入力回路３０、デジタル音声出力回路３１、通信インターフェイス（Ｉ／Ｆ）２１が接続される。なお、第１の実施例による電子音楽装置１及び第２の実施例による電子音楽装置２と同一の構成には、同一の参照番号を付し、その説明を省略する。
【００６０】
デジタル音声入力回路３０は、外部機器からデジタル音声信号（ＳＰＤＩ／Ｆ）を入力するための回路であり、デジタル音声出力回路３１は、外部機器へデジタル音声信号を出力するものである。
【００６１】
信号処理回路２８は、デジタル音声入力回路３０から入力される又は外部記憶装置１５から読み出されるデジタル音声信号及びデジタル音声出力回路３１から出力されるデジタル音声信号に対する各種信号処理を行う。信号処理回路２８は、ミキシング回路、音源回路、効果回路を含んで構成される。ここで行われる信号処理は、例えば、複数チャンネルの音声信号のパッチング処理や、各種効果付与処理（イコライジング処理、音量調整処理等）である。
【００６２】
図１１は、本発明の第３の実施例による電子音楽装置（デジタルレコーディングミキサー）３の機能を表すブロック図である。
【００６３】
電子音楽装置３は、デジタル音声入力部３０、デジタル音声出力部３１、制御部２９、信号処理部２８、カレント設定記憶部３５、履歴記憶部４５、ユーザーインターフェイス（ＵＩ）部３４、曲データ記憶部５５等を含んで構成される。
【００６４】
デジタル音声入力部３０は、外部機器からのデジタル音声入力（ＳＰＤＩ／Ｆ）を受け付けて信号処理部２８に供給するとともに、時間情報取得手段として、当該デジタル音声に含まれるワードクロックを制御部２９に供給する。
【００６５】
デジタル音声出力部３１は、曲データ記憶部５５から読み出された曲データに基づくデジタル音声又はデジタル音声入力部３０から入力されるデジタル音声を直接又は信号処理部２８を介してデジタル音声信号として外部に出力する。
【００６６】
ＵＩ部３４は、複数の設定操作子１２及びディスプレイ１４を含んで構成され、ユーザによる設定操作を受け付けて、制御部２９に供給する。設定操作子としては、少なくとも第１の実施例のスイッチ１２４及び１２５と同様の履歴呼び出し用操作子、複数のフェーダ操作子、パッチング設定用操作子、イコライジング設定用操作子、その他効果設定用操作子、録音の開始／停止用の操作子等を備えている。
【００６７】
第３の実施例においてＵＩ部３４から入力される設定パラメータは、例えば、フェーダ設定パラメータ、各種効果設定パラメータ（例えば、パッチング設定パラメータ、イコライジング（ＥＱ）設定パラメータ、その他の効果設定パラメータ等）である。
【００６８】
制御部２９は、デジタル音声入力部３０から供給されるワードクロックに従い、ＵＩ部３４を介して入力される設定パラメータに基づき、デジタル音声入力部３０から入力される又はデジタル音声出力部３１から出力されるデジタル音声信号に対する信号処理を信号処理部２８に指示する。また、曲データ記憶部５５に対して処理された入力デジタル音声信号を曲データとして記憶するように指示するとともに、記憶されている曲データの読み出し指示を行う。さらに、ＵＩ部３４のディスプレイ１４に各種情報を表示させる。
【００６９】
また、制御部２９は、カレント設定記憶部３５から、現在設定されているパラメータ（例えば、図１２に示すカレント設定ＣＭ３）を読み出すとともに、設定変更されたパラメータをカレント設定ＣＭ３として記憶させる。また、ＵＩ部３４を介して履歴の読み出し指示があった場合は、履歴記憶部４５から、例えば、図１３に示す履歴情報ＨＭ３のうちの１つを読み出して、該履歴情報ＨＭ３に含まれるパラメータを設定して、対応する指示を信号処理部２８に与えるとともに、設定変更操作後一定時間が経過した所定のパラメータを履歴情報ＨＭ３の１つとして、履歴記憶部４５に記憶させる。
【００７０】
カレント設定記憶部３５は、例えば、ＲＡＭ７又は不揮発メモリ２５で構成され、電子音楽装置３における現在の設定をカレント設定ＣＭ３として記憶する。カレント設定ＣＭ３は、例えば、図１２に示すようなフォーマットで、電子音楽装置３において現在設定されている設定パラメータの値（本実施例では、フェーダ設定パラメータ、各種効果設定パラメータ）、当該設定における稼働時間、現在稼働中か否かを示すフラグ（「稼働中」又は「停止中」）、当該設定が後述する履歴情報ＨＭ３に記録済みか否かを示すフラグ（「記録済」又は「未記録」）等を記憶する。
【００７１】
履歴記憶部４５は、電子音楽装置３における設定パラメータの全部あるいは一部が変更された場合に、当該変更からの経過時間（分や秒といった時間、若しくは小節数等）が所定以上となったものについて、当該全部又は一部の設定パラメータを組にして、履歴情報ＨＭ３に追記する。その他の点については、第１又は第２の実施例における履歴情報記憶部４５と同様の構成である。
【００７２】
履歴情報ＨＭ３は、例えば、図１３に示すようなフォーマットで、上述したように変更後一定時間経過した設定パラメータ（一部又は全部）の値及び変更後の経過時間について、時系列順に記憶するものである。本実施例では、各種効果設定パラメータ（例えば、パッチング設定パラメータ、イコライジング（ＥＱ）設定パラメータ、その他の効果設定パラメータ等）を記録の対象としており、この設定パラメータが変更されて一定時間が経過した場合に、各種効果設定パラメータ、稼働時間を一組として、履歴情報ＨＭ３に追記する。なお、各種効果設定パラメータを記録対象の設定パラメータとしている以外は、基本的に第１又は第２の実施例における履歴情報ＨＭ１又はＨＭ２と同様であるので、説明を省略する。
【００７３】
信号処理部２８は、例えば、図１０の信号処理回路２８等で構成され、制御部２９からの指示に従い、デジタル音声入力部３０から入力される又はデジタル音声出力部３１から出力されるデジタル音声信号に対する信号処理を行う。ここで行われる信号処理は、例えば、複数チャンネルの音声信号のパッチング処理や、各種効果付与処理（イコライジング処理、音量調整処理等）である。
【００７４】
曲データ記憶部５５は、例えば、図１０の外部記憶装置１５で構成され、デジタル音声入力部３０から入力されるデジタル音声や、自動演奏用の曲データ（例えば、ＭＩＤＩデータ、圧縮又は非圧縮のＡＵＤＩＯデータ等）を複数種類記憶しており、制御部２９に対して、デジタル音声、曲データを供給する。
【００７５】
以上のように、各種効果設定パラメータが変更された場合に、当該設定パラメータが変更されて一定時間が経過した場合に限り、当該各種効果設定パラメータに関する情報を履歴情報ＨＭ３に記録することにより、例えば、試聴のために一時的に設定したものや、誤操作により設定されたものを実質的に設定された各種効果設定パラメータではないとして、履歴情報から除くことができる。よって、第１及び第２の実施例と同様に無駄な履歴情報を作成することがないので、履歴情報が必要十分なもののみとなり、簡単に履歴を呼び出すことが可能となる。
【００７６】
図１４は、本発明の第１〜第３の実施例共通のメイン処理を表すフローチャートである。このメイン処理は電子音楽装置１（２又は３）の電源投入とともに開始され、電源切断とともに終了する。
【００７７】
なお、本明細書において「稼働」及び「停止」とは、単に主電源の「オン」及び「オフ」ではなく、例えば、第１の実施例においては、メトロノーム機能の実行（リズム報知）及び停止であり、第２の実施例においては、曲データの再生及び停止であり、第３の実施例においては、デジタル音声信号（又は曲データ）の再生又は録音及びそれらの停止である。すなわち、「稼動」は、設定されるパラメータが使用される処理（以下、「音楽情報処理」と呼ぶ）を行うことであり、「停止」は、当該処理を終了することである。
【００７８】
ステップＳＡ１で、メイン処理をスタートし、ステップＳＡ２では、各種フラグ、レジスタ、バッファ等の初期化処理を行う。
【００７９】
ステップＳＡ３では、電子音楽装置の稼動状態が稼働中に設定されているか否かを判断する。この判断は、例えば、稼動状態を示すフラグを参照することにより行われる。なお、初期状態では、停止中の設定となっている。また、後述するステップＳＡ８の処理で稼働中に設定され、後述するステップＳＡ６の処理により停止中に設定される。稼働中に設定されている場合は、ＹＥＳの矢印で示すステップＳＡ４に進み、停止中に設定されている場合は、ＮＯの矢印で示すステップＳＡ７に進む。
【００８０】
ステップＳＡ４では、電子音楽装置に対する音楽情報処理の停止操作を検出する。停止操作の検出は、例えば、ユーザによる設定操作子１２を用いた音楽情報処理の停止指示や、楽曲データ等の再生の終了等を検出することにより行われる。停止指示を検出した場合は、ＹＥＳの矢印で示すステップＳＡ５に進み、それ以外の場合は、ＮＯの矢印で示すステップＳＡ１０に進む。
【００８１】
ステップＳＡ５では、電子音楽装置の稼動状態を「停止中」に設定する。稼動状態の設定は、例えば、ＲＡＭ７内に用意されるフラグ領域に「停止中」を表すフラグを立てることにより行われる。
【００８２】
ステップＳＡ６では、音楽情報処理の停止処理を行う。これは、現在実行中の音楽情報処理を停止することである。その後、ステップＳＡ１６に進む。
【００８３】
ステップＳＡ７では、電子音楽装置に対する音楽情報処理の開始操作を検出する。開始操作の検出は、例えば、ユーザによる設定操作子１２を用いた音楽情報処理の開始指示等を検出することにより行われる。開始指示を検出した場合は、ＹＥＳの矢印で示すステップＳＡ８に進み、それ以外の場合は、ＮＯの矢印で示すステップＳＡ１６に進む。
【００８４】
ステップＳＡ８では、電子音楽装置の稼動状態を「稼働中」に設定する。稼動状態の設定は、例えば、ＲＡＭ７内に用意されるフラグ領域に「稼働中」を表すフラグを立てることにより行われる。
【００８５】
ステップＳＡ９では、音楽情報処理の開始処理を行う。これは、各実施例に対応した音楽情報処理を開始することである。その後、ステップＳＡ１０に進む
ステップＳＡ１０では、今回のタイミングにおける各実施例に対応した音楽情報処理を実行する。例えば、第１の実施例においては、今回のタイミングが設定されているテンポにおけるテンポ報知タイミングである時は、テンポ報知音を生成して発音するとともに、ディスプレイ等の表示を更新する等の処理を実行する。また、例えば、第２の実施例においては、再生中の曲データにおいて今回のタイミングで発音すべき発音データがある場合は、当該発音データに基づいて楽音を生成して発音する等の処理を実行する。また、例えば、第３の実施例においては、外部から入力されるデジタル音声信号を録音したり、録音されているデジタル音声信号を再生するための処理を実行する。
【００８６】
ステップＳＡ１１では、経過時間を更新する。経過時間の更新は、例えば、カレント設定ＣＭ１（２又は３）内の稼働時間を更新することにより行われる。当該稼働時間の更新は、前回の更新からの経過時間をすでに記録されている稼働時間に加算することにより行ってもよいし、音楽情報処理開始からの経過時間により、すでに記録されている稼働時間を上書きすることにより行ってもよい。
【００８７】
ステップＳＡ１２では、カレント設定ＣＭ１（２又は３）内の記録状態が「記録済」（カレント設定内のパラメータが履歴情報ＨＭ１（２又は３）に記録されている）か否かを判断する。「記録済」でない場合（「未記録の場合」）は、ＮＯの矢印で示すステップＳＡ１４に進む。「記録済」である場合は、ＹＥＳの矢印で示すステップＳＡ１３に進み、履歴情報ＨＭ１（２又は３）内のカレント設定ＣＭ１（２又は３）に記録されている稼働時間を更新する。なお、この稼働時間の更新はステップＳＡ１１における経過時間の更新と同様の手法で行う。また、この稼働時間の更新は省略することもできる。さらに、ステップＳＡ１１において、履歴情報ＨＭ１（２又は３）内のカレント設定ＣＭ１（２又は３）に記録されている稼働時間を合わせて更新するようにしてもよい。その後、ステップＳＡ１６に進む。
【００８８】
ステップＳＡ１４では、カレント設定ＣＭ１（２又は３）内の稼働時間が、所定時間以上に達したか否かを判断する。ここで所定時間とは、１〜５分以上、３０秒以上、又は８小節以上等の音楽情報処理を実質的稼動したと考えられる時間である。所定時間以上経過している場合は、ＹＥＳの矢印で示すステップＳＡ１５に進み、経過していない場合は、ＮＯの矢印で示すステップＳＡ１６に進む。
【００８９】
ステップＳＡ１５では、カレント設定ＣＭ１（２又は３）に記録されている所定のパラメータを履歴情報ＨＭ１（２又は３）に記録する。なお、ここで記録されるパラメータ及びその記録方法については、第１の実施例の説明において詳述したので説明を省略する。このように、稼動開始後、実質的に使用したと考えられる所定時間を経過したパラメータ（カレント設定）のみを履歴情報に記録するので、単に試してみたパラメータや間違って設定したパラメータが履歴情報に記録されるのを防ぐことができる。
【００９０】
ステップＳＡ１６では、電子音楽装置の各種パラメータに対しての変更操作の有無を検出する。変更操作を検出しない場合は、ＮＯの矢印で示すステップＳＡ２１に進む。変更操作を検出した場合は、ＹＥＳの矢印で示すステップＳＡ１７に進み、パラメータの変更を反映して、ステップＳＡ１８に進む。なお、パラメータ変更の反映は、電子音楽装置へのパラメータ設定を行うとともに、当該パラメータがカレント設定ＣＭ１（２又は３）のパラメータ値の変更を含む。カレント設定ＣＭ１（２又は３）のパラメータ値の変更は、後述のステップＳＡ１８とステップＳＡ１９の間に行うようにしてもよい。なお、パラメータの変更及び設定は、設定操作子１２（例えば、第１の実施例の場合は、図３のスイッチ１２６及び１２７）等により行う。
【００９１】
ステップＳＡ１８では、ステップＳＡ１６で変更操作を検出したパラメータが所定のパラメータ（履歴情報ＨＭ１（２又は３）に記録すべきパラメータ）を含む否かを判断する。所定のパラメータを含む場合は、ＹＥＳの矢印で示すステップＳＡ１９に進み、含まない場合は、ＮＯの矢印で示すステップＳＡ２１に進む。
【００９２】
ステップＳＡ１９では、経過時間を初期化する。経過時間の初期化は、例えば、カレント設定ＣＭ１（２又は３）内の稼働時間を初期化（０にする）ことにより行われる。
【００９３】
ステップＳＡ２０では、カレント設定ＣＭ１（２又は３）内の記録状態を「未記録」に変更する。その後、ステップＳＡ２１に進む。
【００９４】
ステップＳＡ２１では、ユーザによる履歴情報呼び出し操作を検出したか否かを判断する。履歴呼び出し操作を検出した場合は、ＹＥＳの矢印で示すステップＳＡ２２に進む。操作を検出しなかった場合は、ＮＯの矢印で示すステップＳＡ３に戻り、以降処理を繰り返す。なお、履歴呼び出し操作は、設定操作子１２（例えば、第１の実施例の場合は、図３のスイッチ１２４及び１２５）等を用いて、記録又は使用された時間順に記録されている履歴情報ＨＭ１（２又は３）をその記録されている順に、すなわち時系列順にディスプレイ１４等に表示することによりユーザに提示し、履歴情報ＨＭ１（２又は３）の中から任意の１つの履歴情報を選択することにより行う。
【００９５】
ステップＳＡ２２では、ステップＳＡ２１で選択された履歴情報からパラメータを読み出して電子音楽装置に設定するとともに、カレント設定ＣＭ１（２又は３）にパラメータ値を記録する。
【００９６】
ステップＳＡ２３では、カレント設定ＣＭ１（２又は３）内の記録状態を「記録済」に変更する。その後、ステップＳＡ３に戻り、以降処理を繰り返す。なお、このステップＳＡ２３の処理は省略することができる。
【００９７】
ステップＳＡ２３の処理を行い、且つステップＳＡ１３の処理を行う場合に、履歴からパラメータを呼び出して所定時間以上使用した場合には、新たな履歴情報は記録されずに履歴情報中の稼働時間のみが更新される。
【００９８】
ステップＳＡ２３の処理を行い、ステップＳＡ１３の処理を行わない場合に、履歴からパラメータを呼び出して所定時間以上使用した場合にも、新たな履歴情報は記録されずに履歴情報中の稼働時間も更新されない。
【００９９】
ステップＳＡ２３の処理を行わず、ステップＳＡ１３の処理を行う場合に、履歴からパラメータを呼び出して所定時間以上使用した場合には、新たな履歴情報が追記され、当該追記された履歴情報中の稼働時間が更新される。
【０１００】
ステップＳＡ２３及びステップＳＡ１３の双方処理を省略した場合に、履歴からパラメータを呼び出して所定時間以上使用した場合には、新たな履歴情報が追記されるが、当該追記された履歴情報中の稼働時間は更新されない。
【０１０１】
以上、本発明の第１〜第３の実施例によれば、電子音楽装置のパラメータの設定変更を行ったとしても、実質的に当該変更後のパラメータで音楽情報処理を稼動した場合のみ、どう該変更後のパラメータを履歴情報として記録するようにしたので、試しに設定して短時間使用しただけのものや、誤操作によるパラメータの誤設定による変更については、履歴情報に記録されない。したがって、無駄な履歴情報を作成しないので、履歴情報を呼び出す場合に、迅速に所望の履歴情報を選択することができる。
【０１０２】
なお、履歴情報に記録されるパラメータは、予め決められた種類のものでもよいが、ユーザが記録するパラメータを設定できるようにしてもよい。
【０１０３】
また、パラメータの変更は、設定操作子１２を用いて行うだけでなく、例えば、ＭＩＤＩインターフェイス等の外部インターフェイスや通信インターフェイスを用いての遠隔操作によるパラメータ変更を行ってもよい。
【０１０４】
また、上述の各実施例では、履歴情報ＨＭを一系列ずつ記録するようにしたが、複数系列の履歴情報ＨＭを記録して、おのおのを独立して記録するようにしてもよい。
【０１０５】
なお、電子音楽装置は、上述の各実施例で説明した形態に限らず、カラオケ装置や、ゲーム装置、電子楽器に適用してもよい。また、電子楽器の形態を取った場合、その形態は鍵盤楽器に限らず、弦楽器タイプ、管楽器タイプ、打楽器タイプ等の形態でもよい。また、音源装置、自動演奏装置等を１つの電子楽器本体に内蔵したものに限らず、それぞれが別体の装置であり、ＭＩＤＩや各種ネットワーク等の通信手段を用いて各装置を接続するものであってもよい。
【０１０６】
また、各実施例は、上述の各実施例に対応するコンピュータプログラム等をインストールした市販のコンピュータ等によって、実施させるようにしてもよい。
【０１０７】
その場合には、各実施例に対応するコンピュータプログラム等を、ＣＤ−ＲＯＭやフロッピーディスク等の、コンピュータが読み込むことが出来る記憶媒体に記憶させた状態で、ユーザに提供してもよい。
【０１０８】
以上実施例に沿って本発明を説明したが、本発明はこれらに制限されるものではない。例えば、種々の変更、改良、組み合わせ等が可能なことは当業者に自明であろう。
【図面の簡単な説明】
【０１０９】
【図１】本発明の第１の実施例による電子音楽装置１のハードウェア構成を表すブロック図である。
【図２】本発明の第１の実施例による電子音楽装置（メトロノーム）１の機能を表すブロック図である。
【図３】本発明の第１の実施例による電子音楽装置（メトロノーム）１のＵＩ部３４の構成例を示す概略平面図である。
【図４】本発明の第１の実施例によるカレント設定ＣＭ１の構成を表す概念図である。
【図５】本発明の第１の実施例による履歴情報ＨＭ１の構成を表す概念図である。
【図６】本発明の第２の実施例による電子音楽装置２のハードウェア構成を表すブロック図である。
【図７】本発明の第２の実施例による電子音楽装置（電子楽器）２の機能を表すブロック図である。
【図８】本発明の第２の実施例によるカレント設定ＣＭ２の構成を表す概念図である。
【図９】本発明の第２の実施例による履歴情報ＨＭ２の構成を表す概念図である。
【図１０】本発明の第３の実施例による電子音楽装置３のハードウェア構成を表すブロック図である。
【図１１】本発明の第３の実施例による電子音楽装置（デジタルレコーディングミキサー）３の機能を表すブロック図である。
【図１２】本発明の第３の実施例によるカレント設定ＣＭ３の構成を表す概念図である。
【図１３】本発明の第３の実施例による履歴情報ＨＭ３の構成を表す概念図である。
【図１４】本発明の第１〜第３の実施例共通のメイン処理を表すフローチャートである。
【符号の説明】
【０１１０】
１、２、３…電子音楽装置、６…バス、７…ＲＡＭ、８…ＲＯＭ、９…ＣＰＵ、１０…タイマ、１１…検出回路、１２…設定操作子、１３…表示回路、１４…ディスプレイ、１５…外部記憶装置、１６…ＭＩＤＩ  Ｉ／Ｆ、１７…ＭＩＤＩ機器、１８…音源回路、１９…効果回路、２０…サウンドシステム、２１…通信Ｉ／Ｆ、２２…演奏操作子、２３…サーバ、２８…信号処理部、２９…制御部、３０…デジタル音声入力回路、３１…デジタル音声出力回路、３４…ＵＩ部、３５…カレント設定記憶部、３８…音源部／効果部、３９…メトロノームエンジン、４５…履歴記憶部、５５…曲データ記憶部、１２１〜１２８…スイッチ、３００…通信ネットワーク
【図１】
2008233810.tif 000003
【図２】
2008233810.tif 000004
【図３】
2008233810.tif 000005
【図４】
2008233810.tif 000006
【図５】
2008233810.tif 000007
【図６】
2008233810.tif 000008
【図７】
2008233810.tif 000009
【図８】
2008233810.tif 000010
【図９】
2008233810.tif 000011
【図１０】
2008233810.tif 000012
【図１１】
2008233810.tif 000013
【図１２】
2008233810.tif 000014
【図１３】
2008233810.tif 000015
【図１４】
2008233810.tif 000016